Podtech/llm-jp-corpus-v4-ja_patent huggingface dataset:
(57)【要約】      （修正有）【課題】コンロ使用の料理過程で、他の仕事の動作でその場を離れると、先にコンロに着火していたことを忘れることがあるが、その時忘れてはいけない先の仕事の継続を、その為に身に着けた操作容易な携帯式発音器の音声発生で認識させる携帯式発音器を提供する。【解決手段】携帯式発音器上部設置の引き棒の引き上げ動作、または発音器ケースの吊り下げ動作で、音声発生をさせるスイッチを引き棒輪に設け、吊り下げ時のスイッチ入り操作を発音器ケースの重量で行うものとした携帯式発音器。【選択図】図１
0003137673.tif 000002
【実用新案登録請求の範囲】
【請求項１】
発音器上部設置の引き棒引き上げ動作、または発音器ケースの吊り下げ動作で、音声発生をさせるスイッチを引き棒軸に設けたことを特徴とする携帯式発音器。
【考案の詳細な説明】
【技術分野】
【０００１】  本発明は、家庭内作業の物忘れに対して注意喚起を促す為に、その場を離れる移動時開始時に取り上げた音声発生を施した携帯式発音器で、前作業の認識をさせる携帯式発音器に関するものである。
【特許文献】特願２００５−３３２３２４、特願２００２−３８２７１０、特願２００４−１３４８６０、実願平５−４３３０８
【背景技術】
【０００２】従来物忘れに対して注意喚起を促す例としては、録音器や、音声発生器による人手でスイッチ操作するもの、警報器としは、ケース外突き出しのスイッチレバーの持ち上げて、ブザーは鳴動させるが、鳴動停止操作はロック解除レバーで対拠するもの等がある。
【考案の開示】
【考案が解決しようとする課題】
【０００３】  しかしながら、以上の技術によれば人手によるスイッチ操作が必要であり面倒である。本案の如く、携帯式発音器の吊り下げ動作で、スイッチ入り切りを自動的に行うものを提供することを課題とする。
【課題を解決するための手段】
【０００４】  以上の課題を解決する為に、常時携帯用発音器は、キッチン等に複数個配置された充電器に差し込まれ充電状態で設置されている。
充電器から取り外した携帯用発音器は、吊り下げ状態にすると、ケースの重量により、引き棒軸設置のスイッチが入り状態になり、バッテリー等電源による音声が発生するものである。
発音器の吊り下げ解除で、引き棒軸設置の戻しバネが作動しスイッチは切り状態になる。
発音器の充電器は、引き棒動作軸方向に充電端子接続口を設けているので、発音器の取り外し、取り付けが容易となる他、発音器の引き棒保持で取り上げと同時に音声が発生する。
【考案の効果】
【０００５】  忘れてはいけない先の仕事の継続を、身に着け吊り状態にすると、発音器の連続した音声発生があり、その音で認識させることが出来、発生音を瞬時止める必要がある時は、発音器本体を手の平で持ち上げると戻しバネ力でスイッチ切りが出来る。
また、下げ操作でスイッチ入りが自動で容易に出来る効果がある。
【考案を実施するための最良の形態】
【０００６】  この考案の一実施形態を、図１に示す。
携帯用発音器は、スイッチ、発音器等を内臓したケースと、吊り下げ用の吊りリングに分かれ、リング接続の引き棒軸先端のスイッチ、引き棒軸とケース間に戻しバネを設けて、引き棒軸上下動によるスイッチ入り切りが出来るのとしている。
【実施例】
【０００７】  本発明の実施例を図１によって説明する。
１３は発音器本体であり、９は６電源バッテリーの充電器であり、単３乾電池１個レベルの容量である。発音器１３は１のケースでペンダント利用も考慮して磁気やゲルマニュウムなど健康促進材料を組み込んでおり、内部品組み込みの為分割になっている。
２は引き棒軸で、ケース内での回転を防ぐ角に近い断面を有する。２ａは引き棒軸を引き上げた状態であり点線で示し、２ｂは引き棒軸に設けた４の戻しバネの受である。
４の戻しバネは発音器１３の構成重量より低い力のバネ力でセットされている。
５は軸側スイッチ接点、３は首や手首などに吊り下げ用としての布、皮、鎖製等からなる吊りリング、７の充電端子接続口は２の引き棒軸動作方向に設けられている。
１１はメロディなど発生する音声ＩＣ，１０はスピーカ、１５は引き棒軸の軸受け内のケース側スイッチで、２ａは引き棒軸を引き上げた状態でスイッチ入り状態となる。
１４は音声発生を必要としないペンダント専用利用を考慮して設けた２の引き棒軸の動きを止めるロック装置であり、４の戻しバネの振動発生を止めるため、引き棒軸を押し付けている。
８は充電端子、１２は充電パイロットランプで充電中、充電完了を示すランプである。
この構成により、９の充電器より１３は発音器本体の引き棒軸を引き上げると、５の軸側スイッチが入り状態で音声ＩＣ作動となり音声発生となる。また、発音器の携帯が不要のときは、９の充電器に差込置きとする。
本案は充電器付で説明しているが、乾電池のみの電源でも機能するものである。
【産業上の利用可能性】
【０００８】  高齢化社会の現状において、家事作業での物忘れによる火災事故を防ぐためにも、そのニーズは高く利用の可能性は高いと考える。
【図面の簡単な説明】
【０００９】
【図１】  携帯用発音器の機能断面図を示す。
【符号の説明】
【０００１０】２  −  引き棒軸、
２ａ−  引き棒軸の引き上げ位置状態
４  −  戻しバネ
５  −  軸側スイッチ接点
【図１】
0003137673.tif 000003
(57)【要約】【課題】クローゼットの扉の構造を提供する。【解決手段】本考案のクローゼットの扉は、主に、左右側板、及び、頂板からなるフレーム前端に設置され、フレーム内は、ネット架と補助架等の内架体を設置する。扉は、頂板前端下縁に固定された横掛管、一端が横掛管に連接され、ロープにより開閉と回転角度を制御する複数の直立式ブレードからなり、扉のブレードは左右両側に開閉する。これにより、扉の質感が向上し、遮蔽、密閉と通気効果が達成され、組み立てが簡単、快速、実用的である。【選択図】図３
0003137612.tif 000002
【実用新案登録請求の範囲】
【請求項１】
クローゼットの扉の構造であって、扉は、主に、左右側板、及び、頂板からなるフレーム前端に設置され、前記フレーム内は、ネット架と補助架等の内架体を設置し、前記扉は、頂板前端下縁に固定された横掛管、一端が前記横掛管に連接され、ロープにより開閉と回転角度を制御する複数のブレードからなり、これにより扉の質感が向上し、遮蔽、密閉と通気効果が達成され、組み立てが簡単、快速、実用的であることを特徴とする、クローゼットの扉の構造。
【請求項２】
前記扉のブレードは直立式で、且つ、各ブレード下端は直列であることを特徴とする、請求項１に記載のクローゼットの扉の構造。
【請求項３】
前記扉のブレードは左右両側に開閉することを特徴とする、請求項１、或いは、２に記載のクローゼットの扉の構造。
【考案の詳細な説明】
【技術分野】
【０００１】
本考案はクローゼットの扉の構造に関するものであって、特に、扉の質感を向上させ、遮蔽、密閉と通気効果に優れた扉構造に関するものである。
【背景技術】
【０００２】
一般のクローゼットは、相互連接した水平と直立棒により構成される支持骨組みと、頂端の蓋板と、外部の布カバーにより構成され、頂端前方の棒素子に布カーテンを掛設しているものもある。
【０００３】
公知のクローゼット構造は、外部に布カバーで被覆する設計で質感に劣り、また、組み立て、分解に時間がかかるのが難点である。多くは、複数の人により作業しないと布カバーが円滑に定位されず、また、通気性も前方の布カバー、或いは、布カーテンの開放に依存し、もし閉鎖状態が長く続くと、空気が流通せず、内部の衣類が湿気る可能性がある。
【考案の開示】
【考案が解決しようとする課題】
【０００４】
本考案はクローゼットの扉の構造を提供し、上述の問題を改善することを目的とする。
【課題を解決するための手段】
【０００５】
本考案のクローゼットの扉の構造は、扉が、主に、頂板前端下縁に固定された横掛管、一端が横掛管に連接され、ロープにより開閉と回転角度を制御する複数の直立式ブレードからなり、扉のブレードは左右両側に開閉し、クローゼットの扉の質感が向上し、同時に遮蔽、密閉と通気効果も有する。
【考案の効果】
【０００６】
本考案によりクローゼットの質感が向上し、同時に、遮蔽、密閉と通気効果も達成され、更に、組み立てが簡単で実用的である。
【考案を実施するための最良の形態】
【０００７】
図１〜図４は、本考案のクローゼットの扉１０を示す図で、主に、左右側板２１、２２、及び、頂板からなるフレーム２０前端に設置され、フレーム２０内は、ネット架２４と補助架２５等の内架体を設置する。本考案は、主に、扉１０は、頂板２３前端下縁に固定された横掛管１１、一端が横掛管１１に連接され、ロープ１２により開閉と回転角度を制御する複数の直立式ブレード１３からなる。各ブレード１３下端は直列状である。これにより、扉１０のブレード１３は左右両側に開閉する。
【０００８】
上述の構成素子からなる扉構造設計により、クローゼットの質感が向上し、同時に、遮蔽、密閉と通気効果も達成され、更に、組み立てが簡単で実用的である。
【０００９】
特に注意すべきことは、クローゼット使用時、直接、背部を壁に向けて設置して遮蔽するか、或いは、布幕により封閉することができることである。
【００１０】
本考案は、以下のような長所が得られる。１．質感がよい。本考案のクローゼットの扉は、ブレードからなる設計により、公知の布カバーと異なり質感がよい。２．遮蔽、密閉と通気効果がある。扉はブレードにより構成されるので、遮蔽効果があり、ブレードの角度を回転させて内部の通気要求を満たし、空気を流通させることができるので、カビの発生が防止できる。３．組み立てが簡単で快速である。本考案はブレード製品を使用するので、組み立て時、直接、頂板前端下縁に鎖固することができ、組み立てが極めて容易、快速である。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の扉が開放状態の立体図
【図２】本考案の扉が閉鎖状態の立体図
【図３】本考案の分解図
【符号の説明】
【００１３】
１０  扉
１１  横掛管
１２  ロープ
１３  ブレード
２０  フレーム
２１  左側板
２２  右側板
２３  頂板
２４  ネット架
２５  補助架
【図１】
0003137612.tif 000003
【図２】
0003137612.tif 000004
【図３】
0003137612.tif 000005
(57)【要約】【課題】  本考案は、トイレットペーパーホルダーに入った、トイレットペーパーの切れ目を見つけるのに手間がかかった欠点を解決し、トイレットペーパーホルダーの上ふたに縦長の穴を設け、前述の課題を解決するものである。【解決手段】  本考案は、トイレットペーパーホルダーの上ふたに、指１、２本分の幅の縦長の穴を含む形の穴を設け、その穴から指でトイレットペーパーを直接回せるようにする。穴の形状は、文字やロゴマークや動物、花等でも可。従って、トイレットペーパーの切れ目を見つけやすい、トイレットペーパーホルダーの上ふたを実現し、生活利便の向上に役立つ。【選択図】図１
0003137647.tif 000002
【実用新案登録請求の範囲】
【請求項１】
トイレットペーパーホルダーの上ふたに、指１、２本分の幅の縦長の穴を含む形の穴を設け、その穴から指でトイレットペーパーを直接回せるようにした、トイレットペーパーホルダーの上ふた。
【請求項２】
請求項１の穴の形が、文字やロゴマーク、動物や花等の形をかたどって形成された、請求項１のトイレットペーパーホルダーの上ふた。
【考案の詳細な説明】
【技術分野】
【０００１】  本考案は、トイレットペーパーホルダーに入った、トイレットペーパーの切れ目を見つけやすくする、トイレットペーパーの上ふたである。
【背景技術】
【０００２】  従来、トイレットペーパーホルダーに入った、トイレットペーパーの切れ目を探す際、なかなか見つからず、手間取り不快であるという欠点があった。
【考案の開示】
【考案が解決しようとする課題】
【０００３】  トイレットペーパーホルダーに入った、トイレットペーパーの切れ目を探す際、トイレットペーパーをぐるぐる回す等して、非常に手間取り不快であった。よって、トイレットペーパーホルダーの上ふたに、指１、２本分の幅の縦長の穴を含む形の穴を設け、その穴から指でトイレットペーパーを直接回せるようにし、トイレットペーパーの切れ目を見つけやすくする。よって、トイレットペーパーの利便性が向上し、前述の欠点を解決するものである。
【課題を解決するための手段】
【０００４】  本考案は、トイレットペーパーホルダーの上ふたに、指１、２本分の幅の縦長の穴を含む形の穴を設け、その穴から指でトイレットペーパーを直接回せるようにし、トイレットペーパーの切れ目を見つけやすくする。よって、利便性の高いトイレットペーパーホルダーを実現し、前述の欠点を解決するものである。
【考案の効果】
【０００５】  上述の様に、本考案のトイレットペーパーホルダーの上ふたは、上ふたの縦長の穴を含む形の穴から指で直接トイレットペーパーを回せるので、従来よりも早く、トイレットペーパーの切れ目を見つけることができる。また、穴の形をロゴマーク等のすることで、広告活動にも使用できたり、動物や花等の形にすることにより装飾性を高めることができる。よって、利便性が高く、生活利便の向上等に役立つ。
【考案を実施するための最良の形態】
【０００６】  本考案は、トイレットペーパーホルダーの上ふたに、指１、２本分の幅の縦長の穴を含む形の穴を設け、その穴から指でトイレットペーパーを直接回せるようにする。
【実施例】
【０００７】  以下、本考案を限定することを目的としない、本考案の実施例を図面に従い説明する。
実施例１  以下、添付図面１に従い実施例１を説明する。本実施例は、縦長の穴を形成する場合である。まず、トイレットペーパーホルダーの上ふたに、指１、２本分の幅の縦長の穴を設け、その穴から指でトイレットペーパーを直接回せるようにする。【０００８】  実施例２  以下、添付図面２に従い実施例２を説明する。本実施例は、穴の形を花の形に形成する場合である。花に限らず文字やマーク、ロゴマークや、キャラクターの形、動物等の様々な形に穴を形成することが可能である。【０００９】  本考案の形態は上述の如き構成からなるものであるから、トイレットペーパーの切れ目が見つかりやすく、利便性の高い便座のトイレットペーパーホルダーの上ふたを可能にした。
【図面の簡単な説明】
【００１０】
【図１】  トイレットペーパーホルダーの上ふたの実施例１の斜視図
【図２】  トイレットペーパーホルダーの上ふたの実施例２の斜視図
【符号の説明】
【００１１】  １  トイレットペーパー
５  トイレットペーパーホルダーの上ふた
６  指１、２本分の幅の縦長の穴を含む形の穴
【図１】
0003137647.tif 000003
【図２】
0003137647.tif 000004
(57)【要約】      （修正有）【課題】お手玉の表面の一部分にゴム紐を設けてゴム紐の伸縮運動を利用して手や指を刺激するゴム紐付きお手玉を提供する。【解決手段】お手玉の表面の一部分にループを設け、このゴム紐をループに固定し、上部ゴム紐の先端には指にはめる輪状帯を設け、輪状帯に指を挿入し、ゴム紐の伸縮運動を利用して指や手を刺激することを特徴とするゴム紐付きお手玉。【選択図】図１
0003137650.tif 000002
【実用新案登録請求の範囲】
【請求項１】
お手玉の一部分にループを設け、このループに適当な長さのゴム紐を固定し、ゴム紐の先端には指にはめる輪状帯を設け、該輪状帯に指を挿入し、ゴム紐の伸縮運動を利用して指や手を刺激することを特徴とするゴム紐付きお手玉。
【考案の詳細な説明】
【技術分野】
【０００１】  本考案は、お手玉の表面の一部にゴム紐を設けてゴム紐の伸縮運動を利用して手や指を刺激するゴム紐付きお手玉に関するものである。
【背景技術】
【０００２】  従来のお手玉は、中身に複数の小粒からなる粒状体を入れ表面を布地等で被覆した略球体よりなっている。このお手玉を宙に上げ両手で交互に受けながら遊んでいた。お手玉を手で受け損なった時は、腰や足を屈めて拾い集めていた。
【考案の開示】
【考案が解決しようとする課題】
【０００３】  そのために次のような問題点があった。
（イ）高齢者や身障者はお手玉が落ちると拾うことが困難になり、続行出来なくなり、        手や指を刺激したり、リハビリの運動までには繋がらなかった。
（ロ）お手玉を投げ上げた時の方向によっては、場所をとり狭いスペースでは使用でき        なかった。
本考案は、以上の問題点を解決するためになされたものである。
【課題を解決するための手段】
【０００４】  お手玉の表面にゴム紐を装着し、ゴム紐のもう一方の先端に輪状帯を設け、該輪に指を入れてお手玉が落下しない様にしたものである。
【考案の効果】
【０００５】  ゴム紐付きお手玉を指にはめて、上・下・横・斜めに投げ戻ってくるお手玉を強く握ったり，手の平で下方へお手玉を放ってもゴム紐の伸縮で再び手の平に戻り落下せず続行出来るので、手や指を刺激してリハビリや脳の活性化にも繋がる。また、場所を選ばずスペースも取らずに手に戻るのできわめて安全である。
【考案を実施するための最良の形態】
【０００６】  以下、本考案の実施の形態について説明する。
（イ）球体からなるお手玉（１）の表面の一部分にループ（２）を設ける。
（ロ）ループ（２）に適当な長さのゴム紐（３）を通し、ゴム紐（３）の下部に結び目        （４）を設けゴム紐（３）をループ（２）に固定する。ゴム紐（３）の上部には        指にはめる輪状帯（５）を設ける。輪状帯（５）はゴム帯材、適当な幅のフェル        ト材、布、合成皮革やプラスチック材からなる。
本考案は以上のような構成で、これを使用するときは、ゴム紐（３）の上部の輪状帯（５）を手の指の中指、薬指、人差し指のいずれかを入れて、手の平で、お手玉（１）を握り、振り下げたり、上げたり、叩いたり、投げたりする。【０００７】  また、指にはめる輪状帯（５）を装着しているために、ゴム紐の太さや長短による指への衝撃をやさしくして、伸縮運動の強弱も容易に出来る。
【図面の簡単な説明】
【０００８】
【図１】本考案の斜視図
【図２】本考案の使用状態の斜視図
【図３】本考案の使用状態の斜視図
【符号の説明】
【０００９】    １  お手玉
２  ループ
３  ゴム紐
４  結び目
５  輪状帯
【図１】
0003137650.tif 000003
【図２】
0003137650.tif 000004
【図３】
0003137650.tif 000005
(57)【要約】【課題】巻きタオルを使って衣類を着脱する際、外から肌が見えないようにし、更衣室のない場所でも人目を気にせず楽々着脱できるようにする【解決手段】巻きタオルの両脇に一見ポケット状の開口部を設け、そこから内部に内袖をつける。袖から腕をいれるため、肌の露出を最小限に抑えることができる。あらゆる更衣の必要な場面で、更衣室などの場所を必要とせず着脱可能になる。【選択図】図２
0003137642.tif 000002
【実用新案登録請求の範囲】
【請求項１】
巻きタオルにポケット状の内袖が付いているのが特徴。
腕の出し入れ時に袖が出ないように内部でとめてある。
【考案の詳細な説明】
【技術分野】
【０００１】本考案は、巻きタオルに内袖を付けた、巻きタオルに関するものである。
【背景技術】
【０００２】巻きタオルを使用しての衣類着脱時に、衣類を下部または上部から挿入していた。
そのため更衣室のない場所では人目がかなり気になる。
【考案の開示】
【考案が解決しようとする課題】
【０００３】衣類を持つ手を上部または下部から挿入することにより肌が露出してしまう。
更衣室のない場所でも肌を人目にさらさず着脱できるようにする。
【課題を解決するための手段】
【０００４】巻きタオルの両脇に内袖をつける。
外見はポケット状の開口部であるが、腕が挿入できるため巻きタオル内で衣類の着脱が可能になる。
腕を自由に動かせるよう開口部は広めにとってある。
濡れた腕を出し入れすることを想定して、内袖が出てしまわないよう、また内部が見えないよう内袖の端をゆるく止めてある。
【考案の効果】
【０００５】肌を露出しなくなるため、人目を気にせず着脱できる。
肌を露出しなくなるため、更衣室が不要になる。
水泳時のみならず、スポーツウエアの着脱など広範囲で利用できる。
【考案を実施するための最良の形態】
【０００６】外見上はポケット付き巻きタオル。
腕を挿入する開口部は広くとり、出し入れするときに外から肌が見えないよう、袖を長めにし内側に糸などでゆるめに固定する。
巻きタオル内部に腕を挿入して着脱できるように、内部を広くする生地を広く、ひだを多くとることで内部が広くなる。
丈を長めにする事でいっそう露出部が少なくなる。
【実施例】
【０００７】以下、添付図面に従って実施例を説明する。
２は両脇に取り付けられた開口部で、一見してポケットのようですっきりしている。
２から腕を挿入する。
３の、うち袖は広く長めにとってあるので腕を上下左右に自由に自由に動かせる。
両腕を自由に使って着脱する。
５、６で袖を固定してあるため、腕が濡れている状態でも衣類を掴んだ腕を出し入れできる。
【図面の簡単な説明】
【０００８】
【図１】巻きタオルを正面から見た外見図である。
【図２】巻きタオルを透視した図であり、内部を説明するものである。
【符号の説明】
【０００９】１  上部ゴム部
２  内袖開口部（外部挿入口）
３  内袖
４  内袖開口部（内部挿入口）
５  袖を固定する糸
６  袖を固定する糸
【図１】
0003137642.tif 000003
【図２】
0003137642.tif 000004
【手続補正書】
【提出日】平成19年9月8日(2007.9.8)
【手続補正１】
【補正対象書類名】実用新案登録請求の範囲
【補正対象項目名】全文
【補正方法】変更
【補正の内容】
【実用新案登録請求の範囲】
【請求項１】
従来の巻きタオルに内袖を付け、衣服の着脱を容易にした、内袖付き巻きタオル。
【手続補正２】
【補正対象書類名】明細書
【補正対象項目名】全文
【補正方法】変更
【補正の内容】
【考案の詳細な説明】
【技術分野】
【０００１】本考案は、巻きタオルに内袖を付けた、巻きタオルに関するものである。
【背景技術】
【０００２】巻きタオルを使用しての衣類着脱時に、衣類を下部または上部から手を入れて挿入していた。
【考案の開示】
【考案が解決しようとする課題】
【０００３】巻きタオルは衣服の着脱時に、衣類を持つ手を上部または下部から挿入することにより肌が露出してしまうので、巻きタオルと挿入口を一体化することにより、前述の欠点を解決しようとするものである。
【課題を解決するための手段】
【０００４】本考案は、従来の巻きタオルに内袖を付け、下着や肌を露出することなく衣服の着脱ができるようにする事で問題点を解決している。
【考案の効果】
【０００５】本考案の内袖付タオルを使用する事で、更衣の際の着脱時肌の露出を気にすることなく容易に着脱できプライバシー保護としての役目を果たす。
【考案を実施するための最良の形態】
【０００６】外見上はポケット付き巻きタオル。
従来ある巻きタオルに内袖を付ける。
外見上はポケット挿入口と同じ。開口部を広く取ることにより手の出し入れが自在になる。
【実施例】
【０００７】以下、添付図面に従って実施例を説明する。
１から手を挿入する。
２の内袖を通って３から手を内部に挿入する。
【図面の簡単な説明】
【０００８】
【図１】巻きタオルの内部を正面からとらえ、前身ごろを１枚取り外した図である。
【符号の説明】
【０００９】１  外部開口部
２  内袖
３  内部開口部
【手続補正３】
【補正対象書類名】図面
【補正対象項目名】全図
【補正方法】変更
【補正の内容】
【図１】
0003137642.tif 000005
(57)【要約】      （修正有）【課題】鍋や釜の熱湯の中で、うどん又はソバ等の麺類を茹でている時、茹で加減をみるのに、木、プラスチック、竹、金属類の菜箸等を使って麺類を数本掴み出し、指先等で茹で加減をみる。麺類茹用先端突起物の付いた菜箸の提供。【解決手段】鍋や釜の熱湯の中で、うどん又はソバ等を茹でている時、茹で加減をみるのに、使われている従来の菜箸等に変わって、菜箸等の先端に、突起物２−１を付けることにより、熱湯の中からの麺類の茹で加減をみようとして掴み出した麺類が、先端の突起物のところで数本引っかかり、目的である茹で加減を確実に確かめることが出来る。【選択図】図１
0003137645.tif 000002
【実用新案登録請求の範囲】
【考案の詳細な説明】
【技術分野】
【０００１】多くの家庭に於いて、麺類。例えば、うどん又はソバ等を鍋や釜の中の熱湯で茹でている時、その麺類の茹で加減をみるのに、木、プラスチック、竹材及び金属類の菜箸等を使って、数本掴み出し、指先等で茹で加減をみることが多い。
【背景技術】
【０００２】従来は、熱湯の中の、麺類等の茹で加減をみるのに使用している、木、プラスチック、竹材及び金属類等の菜箸等は、菜箸等の中ごろから先端にいくにしたがって細くなっている。そのために、熱湯の中の麺類等を菜端等で茹で加減をみようとして、数本、菜箸等で掴もうとしても、熱湯の中に滑り落ちてしまうことが多い。
【考案の開示】
【考案が解決しようとする課題】
【０００３】本考案は、熱湯の中の麺類等の茹で加減を、鍋や釜等の中から数本、滑らず掴み出しやすくするために、従来の形態の木、プラスチック、竹材及び金属類等の菜箸等でなく、新たに菜箸等の本体先端に、先端よりも、１ミリ〜３ミリ程の太めの突起物の段差を設けたならば、麺類等が数本その突起物によって先端で止まり、全て、鍋や釜の熱湯の中に滑り落ちることは無いと考えられる。尚先端の突起物の形態は、丸形又は角形がよい。【０００４】本考案を図面で説明する。
【図１】
【０００５】（１）先端に突起物を設けた、菜箸等一膳姿側面図  （２）先端突起物の丸形側面拡大図（３）先端突起物の丸形側面断面図（４）先端突起物の丸形斜視図（５）先端突起物の角形斜視図
【課題を解決するための手段】
【０００６】本考案は、図面に示すように、木、プラスチック、竹材及び金属類等の菜箸等の本体先端に、先端よりも、１ミリ〜３ミリ程の太めの、丸形角形の突起物を設けて、鍋や釜の熱湯の中の麺類等の茹で加減を見ようとして数本掴み出したい時に、麺類等がその突起物に上手く引っかかり、茹で加減を見ることができる。
【考案の効果】
【０００７】本考案の、木、プラスチック、竹材及び金属類の先端に、丸形角形の突起物のついた菜箸等を使って、熱湯の中の麺類等の茹で加減を見るときに、突起物の先端で麺類等が数本引っかかり、従来の菜箸等のように、全てが熱湯の中に落ちたときのような熱湯の跳ね返りが無く、茹で加減を見ることができる。
【図面の簡単な説明】
【０００８】
【図１】本考案の、実施形態を示す菜箸等先端突起物のついた一膳箸の本体側面図と先端突起物の拡大側面図、断面図、丸形斜視図、角形斜視図の外観図
【符号の説明】
【０００９】（１）１−１  菜箸等先端突起物のついた一膳箸の本体側面図
１−２  菜箸等先端突起物以外の本体側面図
１−３  菜箸等の本体と突起物の取り合い部分の側面図
２−１  菜箸等先端突起物側面図
（２）１−２  同上拡大側面図
１−３  同上拡大側面図
１−４  菜箸等の本体先端部分と突起物との段差拡大図
２−１  同上拡大側面図
（３）１−２  同上拡大側面図
２−１  同上拡大断面図
（４）１−２  同上拡大斜視図
３−１  ２−１拡大丸形斜視図
（５）１−２  同上拡大斜視図
４−１  ２−１拡大角形斜視図
【図１】
0003137645.tif 000003
【手続補正書】
【提出日】平成19年8月22日(2007.8.22)
【手続補正１】
【補正対象書類名】実用新案登録請求の範囲
【補正対象項目名】全文
【補正方法】変更
【補正の内容】
【実用新案登録請求の範囲】
【請求項１】
先端に突起物を取り付けた菜箸。
(57)【要約】【課題】地盤改良、地盤補強、治水工事、擁壁工事などの土木建設工事において用いられ、土嚢袋ガイド枠を用いた土嚢袋工法用土嚢袋であって、施工品質の一定化と作業効率を向上させる土嚢袋を提供する。【解決手段】土嚢袋を直方体形状で立体的に縫製し、開口または閉口する土嚢袋上面生地に袋上面生地の閉じ位置決め基準となる面ファスナーや紐などの固定製品を取付けることを特徴とする。【選択図】図１
0003137648.tif 000002
【実用新案登録請求の範囲】
【請求項１】
地盤改良、地盤補強、治水工事、擁壁工事などの土木建設工事に用いる土嚢袋ガイド枠を用いた土嚢袋工法用土嚢袋において、袋は直方体形状で立体的に縫製され袋上面を開口または閉口でき、上面土嚢袋生地には上面袋生地の閉じ位置の基準となる面ファスナーや紐などの固定製品を有していることを特徴とする土嚢袋。
【請求項２】
底面のみを０．５ミリメートルから１０ミリメートル程度の開口を有する網状で形成されていることを特徴とする請求項１の土嚢袋。
【考案の詳細な説明】
【技術分野】
【０００１】本考案は、地盤改良、地盤補強、治水工事、擁壁工事などの土木建設工事に用いられる土嚢袋ガイド枠を用いた土嚢袋工法用土嚢袋に関する。
【背景技術】
【０００２】従来、資材を袋詰めした土嚢袋は地盤改良、地盤補強、治水工事、擁壁工事などの土木建設工事において用いられている。特願２００６−２４３３２２（特許文献１）によれば、土嚢袋ガイド枠を用いた土嚢袋工法を地盤補強に利用した場合、現在、発明や考案されている土嚢袋および土嚢袋を用いた土嚢袋工法と比較し、品質、コスト、施工条件の向上がなされている。
【特許文献１】特願２００６−２４３３２２
【考案の開示】
【考案が解決しようとする課題】
【０００３】しかしながら従来の土嚢袋ガイド枠を用いた土嚢袋は、従来の土嚢工法と比較し作業効率の向上が認められたものの、施工箇所に設置されるまでの工程が１人１時間当たり１２０個から１５０個と早いため、上部投入口を閉じる作業が追いつかないという状況があった。土嚢袋ガイド枠を利用した土嚢工法の作業効率を最大限生かすためには、土嚢袋ガイド枠入り土嚢袋を設置後の上部投入口を閉じる作業の効率化の検討が必要であった。また、ヘドロなどの超軟弱地盤に使用した際、軟弱層に接する最下段部の土嚢袋が、周囲の水を吸収し圧密を促進させる事により強度を増す事ができるが、現在の土嚢袋の網目は、圧密を起こす為の吸水効果を考慮した結果のものではないため、含水比の高いヘドロ層などを圧密させるための時間が掛かってしまう。圧密は若干の沈下をともなうため、圧密状態が安定するまでに時間が掛かると、土嚢で地盤補強した上部に、建物などの工作物を施工するまでの時間を長く取らなければならないという問題があった。
【課題を解決するための手段】
【０００４】上述の課題を解決するため請求項１の考案において、地盤改良、地盤補強、治水工事、擁壁工事などの土木建設工事に用いる土嚢袋ガイド枠を用いた土嚢袋工法用土嚢袋において、袋は直方体形状で立体的に縫製され袋上面を開口または閉口でき、上面土嚢袋生地には上面袋生地の閉じ位置の基準となる面ファスナーや紐などの固定製品を有していることを特徴とする。【０００５】請求項２の考案は、底面のみを０．５ミリメートルから１０ミリメートル程度の開口を有する網状で形成されていることを特徴とする。
【考案の効果】
【０００６】請求項１の考案の考案によれば、側面ごとに上面袋の閉じる位置の基準となる面ファスナーや紐などの固定製品を利用し、中詰め材を投入した土嚢袋の上面生地を各側面の対称面方向に引っ張ることで形を整えながら留めることが出来るため、土嚢袋形状を寸法の一定な直方体に施工できる。また土嚢袋の各側面を均一に引っ張ることで、土嚢袋内全体の資材間に均等かつ十分な摩擦力が発生し、土嚢袋工法の補強強度が向上し品質も一定化する。また、面ファスナーにより上面を閉じるようにすれば、大幅に土嚢袋を閉じる時間を短縮でき、工事現場での作業の効率化を図ることができる。もちろん、紐であっても従来の工法に比べ作業の効率化を図ることができる。【０００７】請求項２の考案によれば、土嚢袋の底面を０．５ミリメートルから１０ミリメートル程度の開口を有する網状で形成することにより、土嚢袋内に土嚢袋底面から水を多く取り入れることができため、水分の多い超軟弱地盤などにおいて吸水効果を高め、圧密を促進することにより超軟弱地盤等の地盤改良効果を向上させる。
【考案を実施するための最良の形態】
【０００８】以下本考案の実施の形態について図面を参照しながら説明する。図１は本考案の実施形態の土嚢袋ガイド枠を用いた土嚢袋工法の土嚢袋の全体構成を示すものである。【０００９】図１において、土嚢袋１０は底面１３と側面１２を形成する土嚢袋生地との稜線の内、資材の入る部分を縫製し、立体的に製作されている。資材投入口を閉口する土嚢袋上面１１は、土嚢袋各側面１２の上面側のみと繋がり、上面の生地ごとに閉じることが出来るようになっている。各側面間の縫製は、投入目安の高さ２０より若干長くする事により、土嚢袋上面１１を閉じている状態で上面の角部から中詰め材がこぼれるのを防いでいる。ここでの、若干とは資材投入後の土嚢袋高さの１０〜２０％程度を指すが、袋の大きさや中詰め材の大きさによっては袋上面を閉じた際に中詰め材がこぼれない寸法であればよい。また、袋の大きさや材質は限定されないが、土嚢袋としてみた場合、軽量で引っ張り強度のあるポリプロピレンやポリエチレンなどが好ましい。【００１０】上記に示す土嚢袋上面１１には、面ファスナーや紐などの固定製品１４が土嚢袋資材投入口となる上面生地を閉める際の位置決め基準となるため、一定の位置に２箇所から４箇所取付けられている。上面を閉じる位置が特定されることにより土嚢袋の大きさが一定に施工できる。固定製品１４は面ファスナーや紐だけに限定されるものでなく、ファスナーや金具でもよく土嚢袋生地同士が接合できればよい。また、底面１３を請求項２の形態で利用する場合は、０．５ミリメートルから１０ミリメートル程度の開口を有する網状にし、透水性を他の面よりも高めている。網開口の大きさは中詰材の大きさや、施工地盤の土粒子の種類により決定される。
【図面の簡単な説明】
【図１】本考案の土嚢袋ガイド枠用土嚢袋の一実施態様を示す斜視図である。
【図２】本考案の土嚢袋ガイド枠用土嚢袋に中詰材投入後、上部の開口部を閉じた斜視図である。
【符号の説明】
１０  土嚢袋ガイド枠用土嚢袋
１１  土嚢袋上面生地
１２  土嚢袋側面生地
１３  土嚢袋底面生地
１４  固定製品
２０  資材投入目安ライン
【図１】
0003137648.tif 000003
【図２】
0003137648.tif 000004
(57)【要約】【課題】活性成分の情報及び活性成分量の情報が記載されている経皮治療システムであって、該経皮治療システムを両断又は二等分するときに、活性成分の情報が維持されるのに対して、前記の活性成分量の情報は変えられるか又は破壊される、経皮治療システムを提供する。【解決手段】活性成分不透過性の最上層（２）と、活性成分含有層と、剥離可能なフィルム（１）とを含む経皮治療システムであって、前記最上層（２）に、該経皮治療システムを両断し、活性成分量の情報を示す処方欄を通過する分割線（任意で破線分割線）が設けられている、経皮治療システム。【選択図】図１
0003137643.tif 000002
【実用新案登録請求の範囲】
【請求項１】
活性成分不透過性の最上層と、活性成分含有層と、剥離可能なフィルムとを含む経皮治療システムであって、前記最上層に、該経皮治療システムを両断し、活性成分量の情報を示す処方欄を通過する分割線（任意で破線分割線）が設けられている、経皮治療システム。
【請求項２】
前記最上層が、前記活性成分含有層に含まれる前記活性成分に関する情報を有し、該活性成分に関する情報が両断分割線の両側に提供されている、請求項１に記載の経皮治療システム。
【請求項３】
前記処方欄の記載方向が前記分割線の方向である、請求項１又は２に記載の経皮治療システム。
【請求項４】
前記活性成分量が単位時間当たりの量として示されている、請求項１〜３のいずれか１項に記載の経皮治療システム。
【請求項５】
前記の活性成分量の情報が前記分割線の途切れた部分に提供され、前記破線分割線を繋ぐ概念線が該活性成分量の情報を通過する、請求項１〜４のいずれか１項に記載の経皮治療システム。
【請求項６】
前記活性成分量の半分を示すさらなる処方欄が、前記両断分割線のそれぞれの側に設けられている、請求項１〜５のいずれか１項に記載の経皮治療システム。
【請求項７】
前記処方欄が、前記経皮治療システムに含まれる各活性成分についての活性成分量の情報を提供する、請求項１〜６のいずれか１項に記載の経皮治療システム。
【請求項８】
パッチ形態である、請求項１〜７のいずれか１項に記載の経皮吸収システム。
【考案の詳細な説明】
【技術分野】
【０００１】
本考案は、経皮治療システムに関する。
【考案の開示】
【考案が解決しようとする課題】
【０００２】
本考案の課題は、活性成分の情報及び活性成分量の情報が記載されている経皮治療システムであって、該経皮治療システムを両断又は二等分するときに、活性成分の情報が維持されるのに対して、前記の活性成分量の情報は変えられるか又は破壊される、経皮治療システムを提供することである。
【課題を解決するための手段】
【０００３】
この課題は、活性成分不透過性の最上層と、活性成分含有層と、剥離可能なフィルムとを含む経皮治療システムであって、前記最上層に、該経皮治療システムを両断し、活性成分量の情報を示す処方欄(inscription)を通過する分割線（任意で破線分割線）が設けられている経皮治療システムによって解決される。
【０００４】
また、この課題は、前記最上層が、前記活性成分含有層に含まれる前記活性成分に関する情報を有し、該活性成分に関する情報が両断分割線の両側に提供されていることを特徴とする上記のような経皮治療システムによってさらに解決される。
【０００５】
また、この課題は、前記処方欄の記載方向が前記分割線の方向であることを特徴とする上記のような経皮治療システムによってさらに解決される。
【０００６】
また、この課題は、前記活性成分量が単位時間当たりの量として示されていることを特徴とする上記のような経皮治療システムによってさらに解決される。
【０００７】
また、この課題は、前記の活性成分量の情報が前記分割線の途切れた部分に提供され、前記破線分割線を繋ぐ概念線が該活性成分量の情報を通過することを特徴とする上記のような経皮治療システムによってさらに解決される。
【０００８】
また、この課題は、前記活性成分量の半分を示すさらなる処方欄が、前記両断分割線のそれぞれの側に設けられていることを特徴とする上記のような経皮治療システムによってさらに解決される。
【０００９】
また、この課題は、前記処方欄が、前記経皮治療システムに含まれる各活性成分についての活性成分量の情報を提供することを特徴とする上記のような経皮治療システムによってさらに解決される。
【００１０】
また、この課題は、パッチ形態であることを特徴とする上記のような経皮治療システムによってさらに解決される。
【考案を実施するための最良の形態】
【００１１】
図１に見られるように、本考案の経皮治療システムは、最上層（２）と、張り出している(overhanging)剥離可能なフィルム（１）とを含む。この最上層は活性成分含有層を被覆し、この最上層に両断分割線（任意で破線分割線）が設けられている。さらにこの最上層には、前記活性成分含有層に含まれる活性成分に関する情報を提供することができる。
【００１２】
前記の活性成分の情報は、両断分割線の両側に提供することができる。さらに最上層は、好ましくは単位時間当たりの活性成分量（例えばμｇ／時間）の形態で、活性成分量の情報を有し得る。このような活性成分量の情報は、任意に破断される分割線と一直線に位置するのが好ましい。分割線に沿って経皮的治療システムを分割することによって、活性成分量の情報が破壊されるか又は判読できなくなる一方で、活性成分に関する情報は維持される。
【００１３】
さらに好ましい実施態様では、経皮治療システムは両断分割線のそれぞれの側に活性成分量の半分を示すさらなる処方欄を有する。この経皮治療システムを分割線に沿って切断した後でも、活性成分量の半分を示すその情報は維持される。
【００１４】
活性成分含有層が２つ以上の活性成分を含む場合、この処方欄は、好ましくは分割線と一直線に、各活性成分についての活性成分量の情報を有する。
【００１５】
また、前記経皮治療システムはパッチ形態であることが好ましい。
【図面の簡単な説明】
【００１６】
【図１】本考案による経皮治療システムの平面図である。
【図２】本考案による経皮治療システムの平面図である。
【図３】本考案による経皮治療システムの平面図である。
【図４】本考案による経皮治療システムの平面図である。
【図５】本考案による経皮治療システムの平面図である。
【図６】本考案による経皮治療システムの平面図である。
【符号の説明】
【００１７】
１  剥離可能なフィルム
２  最上層
【図１】
0003137643.tif 000003
【図２】
0003137643.tif 000004
【図３】
0003137643.tif 000005
【図４】
0003137643.tif 000006
【図５】
0003137643.tif 000007
【図６】
0003137643.tif 000008
【手続補正書】
【提出日】平成19年10月1日(2007.10.1)
【手続補正１】
【補正対象書類名】実用新案登録請求の範囲
【補正対象項目名】請求項１
【補正方法】変更
【補正の内容】
【請求項１】
活性成分不透過性の最上層と、活性成分含有層と、剥離可能なフィルムとを含む経皮治療システムであって、前記最上層に、該経皮治療システムを両断し、活性成分量の情報を示す処方欄を通過する分割線が設けられている、経皮治療システム。
(57)【要約】      （修正有）【解決手段】いろいろな料理に使える鍋のふたを用意し、そのふたのつまみ部分に調理しようとする料理を入力することにより、茹で時間や炒め時間等の時間が表示される。その表示にしたがって時間をセットすることによって、調理時間が来たらブザー等で知らせてくれる。【効果】料理をする際に、レシピを調べて茹で時間や炒め時間を知ることができ、ふたのつまみ部分に茹で時間や炒め時間をセットすることにより、そのつまみ部分が時間経過を知らせてくれる。その結果、いつも間違わずにおいしい料理ができる。【選択図】図１
0003137663.tif 000002
【実用新案登録請求の範囲】
【請求項１】
１、ガラス、プラスチックまたは金属材料等でつくられた料理用の鍋のふた部分と
２、ふたの中央に料理のレシピ表示画面とブザーで時間を知らせるタイマーを備えたレシピ・タイマー付きつまみ
以上の各構成からなるレシピ・タイマー付き鍋のふた
【考案の詳細な説明】
【考案の詳細な説明】
【技術分野】
【０００１】  本考案は、料理をする際にどのくらいの時間をかけて茹でていたらよいか、または炒めたらよいか等の、いわゆる料理時間をタイマーによるブザーによって知らせてもらうシステムである。ガラス、プラスチックまたは金属材料等でつくられた料理用の鍋のふたのつまみの部分に料理のレシピが表示され、同時に炒め時間や茹で時間等も表示され、それにしたがってセットすることによって、時間が来たらブザー等で知らせてくれるものである。
【背景技術】
【０００２】  １、従来は、炊飯器等にタイマー付きのものはあるが、特定の料理にだけ使用する容器である。
２、この料理において、茹で時間や炒め時間を知らせてもらうためには、別のお知らせタイマーをつかわなければならない。
【考案が解決しようとする課題】
【０００３】  以上のように，従来の技術ではいろいろな問題を抱えている。そこで本考案において，解決しようとする課題は次のようなものである。
１、料理の際に、茹で時間や炒め時間等を知らせてもらうために、あらかじめ別タイマーを用意する必要がある。
２、料理ごとに茹で時間や炒め時間を知るためには、レシピ案内などの書物等が必要とされる。
【課題を解決するための手段】
【０００４】  本考案は，この課題を解決するという目的を達成するために次のような手段を講じる。
１、いろいろな料理に使える鍋のふたを用意する。
２、そのふたのつまみ部分に調理しようとする料理を入力することにより、茹で時間や炒め時間等の時間が表示される。
３、その表示にしたがって時間をセットすることによって、調理時間が来たらブザー等で知らせてくれる。
【考案を実施するための最良の形態】
【０００５】  本考案のもっとも好ましい実施の形態を添付図の図１に基づいて説明する。
図１において，１はガラス、プラスチックまたは金属材料等でつくられた料理用の鍋のふたの全体である。２はふたのつまみ部分である。３はレシピを入力することによって茹で時間等が表示され、その表示にしたがって時間をセットすることができる入力部分と表示部分およびブザー発声部分である。
【考案の効果】
【０００６】  本考案によるレシピ・タイマー付き鍋のふたを使用することによって，次のような効果がある。
１、料理をする際に、レシピを調べて茹で時間や炒め時間を知ることができる。
２、ふたのつまみ部分に茹で時間や炒め時間をセットすることにより、そのつまみ部分が時間経過を知らせてくれる。
３、その結果いつも間違わずにおいしい料理ができる。
【図面の簡単な説明】
【０００７】
【図１】  本考案によるレシピ・タイマー付き鍋のふたを上から見たときの完成図である。
【符号の説明】
【０００８】１…………ガラス、プラスチックまたは金属材料等でつくられた料理用の鍋のふた
２…………ふたのつまみ部分
３…………レシピを入力することによって茹で時間等が表示され、その表示にしたがって時間をセットすることができる入力部分と表示部分およびブザー発声部分
【図１】
0003137663.tif 000003
(57)【要約】【課題】上の碁石の後下の碁石を打つ事を可能にする。上から下の碁石も上の碁石も同時に見える事。【解決手段】碁盤に何段かの碁石の乗せ台を設けて碁石の乗せ台を上になる程階差的に小さくする。【選択図】図３
0003137670.tif 000002
【実用新案登録請求の範囲】
【請求項１】
囲碁盤（３）に複数段の碁石乗せ台（１）、（２）を設ける事を特徴とした立体囲碁。
【請求項２】
碁石乗せ台を高くなるにつれて小さくする事を特徴とした請求項１記載の立体囲碁。
【考案の詳細な説明】
【技術分野】
【０００１】囲碁を立体的に競う囲碁盤である。
【背景技術】
【０００２】特願２００７−４４６０６等がある。
【考案の開示】
【考案が解決しようとする課題】
【０００３】下の碁石が上から見える事、下の碁石が上の碁石の邪魔をしないで下の碁石が取れる事。
【課題を解決するための手段】
【０００４】碁盤に複数段の乗せ台を設け乗せ台は階差的に高くなる程小さくする。
【考案の効果】
【０００５】穴を設けた碁石を用いる事により下の碁石も後から入れる事が出来る。
【考案を実施するための最良の形態】
【０００６】囲碁盤３、に乗せ台１、２を２段位設けて下の乗せ台より上の乗せ台を小さくする。乗せ台は階差的にする。
【実施例】
【０００７】下の乗せ台の大きさより上の碁石の大
0003137670.tif 000003
小さくする。
【産業上の利用分野】
【０００８】ゲームに利用出来る。
【図面の簡単な説明】
【０００９】
【図１】  立体囲碁盤の見下図。
【図２】  Ａ−Ａ断面図。
【図３】  乗せ台と碁石の詳細図。
【符号の説明】
【００１０】  １      ２段目乗せ台
２      １段目乗せ台
３      碁盤
４      碁石
５      碁石
６      碁石
【図１】
0003137670.tif 000004
【図２】
0003137670.tif 000005
【図３】
0003137670.tif 000006
(57)【要約】      （修正有）【課題】従来皆無の状態にある吹き矢筒の照準器を開発し、利用価値を向上させるため軽便な構造で汎用性に優れた照準器提供する。【解決手段】吹き矢筒において、筒先の左側または右側に脱着自在の機能を有し、目視する部分４が吹き矢筒の筒先の支持部分から横方向に突出した形状とし、ステンレス素材の針金またはプラスチック素材を用いて整形した、吹き矢筒に用いる照準器５とする。【選択図】図１
0003137661.tif 000002
【実用新案登録請求の範囲】
【請求項１】
吹き矢筒において、筒先の左側または右側に脱着自在の機能を有し、目視する部分が吹き矢筒の筒先の支持部分から横方向に突出した形状とし、ステンレス素材の針金またはプラスチック素材を用いて整形した、吹き矢筒に用いる照準器。
【考案の詳細な説明】
【技術分野】
【０００１】  本考案は、吹き矢筒の先端に簡単な照準機構を配することにより、競技や狩猟における吹き矢の的中率を高めるために用いる照準器に関するものである。
【背景技術】
【０００２】  一般に吹き矢を用いて競技を行ったり狩猟を行う場合、吹き矢筒に鋭角な円錐形をした吹き矢を装填し、息を殺して狙いを定め、吹き矢筒の吹き口に口を当てて一気に息を注入することで的を目がけて吹き矢を発射することになる。【０００３】  この場合、ほとんどは目測で行うため的中率が悪く、相当な訓練を要するものである。【０００４】  現在、愛好家各々が製作した照準器は存在するが、使用に適さないなど千差万別で、吹き矢競技や狩猟を目的とする場合の適切な吹き矢筒の照準器と成り得ないものもある。
【考案の開示】
【考案が解決しようとする課題】
【０００５】  吹き矢競技において、得点は目測で吹き矢を発射しても、照準器を用いて吹き矢を発射しても、結局は競技する者の訓練量と力量による結果となる。【０００６】  吹き矢筒や吹き矢は、使用条件から至極軽量な構造となっており、照準器においても軽量なものであり、取扱い方法が簡単な構造が望まれる。【０００７】  いずれにしても、吹き矢の的中率を向上させる必要があり、吹き矢競技の人口や普及率を向上させるためには、適切な照準器の開発を要する。
【課題を解決するための手段】
【０００８】  本考案は、前述の課題を解決するため、従来皆無の状態にある吹き矢筒の照準器を開発し、利用価値を向上させるため軽便な構造で汎用性に優れた照準器とする。【０００９】  すなはち、本考案の照準器は細い針金状の金属またはプラスチックの素材を用いて、吹き矢筒の前先端部分の横方向に持ち出した形状として脱着自在であり、右利き目と左利き目に適合させるため適宜に筒先端の左または右に取り付け方向自在とする。【００１０】  吹き矢筒を用いる者は、本考案の照準器を吹き矢筒の前先端に装着して訓練をしたり競技を行うことにより、吹き矢の的中率を向上させることとなる。
【参考資料】
【００１１】  添付の本考案の吹き矢筒照準器の実物写真を参照。
【考案の効果】
【００１２】  本考案の照準器を用いることにより、吹き矢の練習が容易になる効果を生じる。
【００１３】  本考案の照準器を用いることにより、吹き矢の的中率が向上する効果を生じる。
【００１４】  本考案の照準器を用いる際、吹き矢筒の先端に脱着が容易であり左右の方向性が自在であるので吹き矢筒射手の利き目にかかわらず使用でき汎用性に優れている。
【考案を実施するための最良の形態】
【００１５】  本考案の吹き矢筒の照準器は、軽量にするためステンレス製の細い針金を用いることとする。この場合、プラスチックを素材として抽出成型して用いることも考えられる。【００１６】  本考案の照準器は、前述のステンレスの細い針金を円形に丸めた中央に、Ｔ字に結んだ基準点を設けて、この基準点と的を睨んで吹き矢の照準を定めることとする。【００１７】  本考案の照準器は、吹き矢筒の前先端に取りつけて直立させるため、吹き矢筒の外径に合致する如く弾力性のある円形に丸めた取りつけ部位を設けることとする。【００１８】  本考案の照準器は、軽量小型であるため容易に携帯できることとなる。
【実施例】
【００１９】  以下、この考案による吹き矢筒１の照準器２の実施の形態を図面に基ずいて説明する。【００２０】  この照準器２は図１の如くの形状となり、ステンレスを素材とした針金を細工して、取りつけ部分３と目視部４を形成する。【００２１】  その目視部４の中心でＴ字型に交わる照準部５を目視部４の外周を支点として溶着する。この場合、照準部５は十字型に交わる構造とすることも考えられる。【００２２】  取りつけ部３は、吹き矢筒１の先端の外径に合致するごとく二重巻半に丸めて、針金の径が少し伸縮できることとする。すなはち、筒先よりやや小径に丸めて先端部分ａに装着できる弾力性を有し、吹き矢筒１の先端部分ａの外周に噛合できることとする。【００２３】  従って本考案の照準器２は、図２に示すごとく吹き矢筒１の先端部分ａに装着した取りつけ部３で直立して保持されることができる。【００２４】  吹き矢の照準を定めるときは、照準部５と標的を一直線上に睨んで吹き矢を発射ことにより的中率を高めることができる。【００２５】  この場合、利き目が左目の射手が用いるときは、照準器２を裏返して装着し吹き矢筒の先端部分ａの左側に付け変えることにより左の利き目にも適応出来ることとなる。
【産業上の利用可能性】
【００２６】  本考案の照準器は、吹き矢競技の訓練と的中率の向上に役立つので、十分な利用価値があって吹き矢競技に欠かせないものとなる。【００２７】  本考案の照準器は、構造的に簡易であるから生産性に富んでおり、全体をプラスチック素材を抽出した成型も可能であり、量産にも適応できる。【００２８】  本考案の照準器は、極めて小型軽量であるため携帯と保管が容易であり、生産原価も廉価であるので、普及性にも優れている。
【図面の簡単な説明】
【００２９】
【図１】  照準器の形状を示す投影図。
【図２】  吹き矢筒に照準器を装着した状態を説明する見取図。
【符号の説明】
【００３０】  １．吹き矢筒。
２．吹き矢筒の照準器。
３．照準器の取りつけ部。
４．照準器の目視部。
５．照準器の照準部。
ａ．吹き矢筒の先端部分。
【図１】
0003137661.tif 000003
【図２】
0003137661.tif 000004